(57)【特許請求の範囲】
【請求項１】
輸卵管を構成する細胞の染色体上に、
（ａ）鳥類の小胞体シャペロンプロモータ、及び
（ｂ）外来有用タンパク質をコードする核酸塩基配列
が機能的に連結した核酸塩基配列を含むトランスジェニック鳥類。
【請求項２】
小胞体シャペロンプロモータがニワトリ由来である請求項１に記載のトランスジェニック鳥類。
【請求項３】
小胞体シャペロンプロモータが、ＥＲ  ｓｔｒｅｓｓ  ｒｅｓｐｏｎｓｅ  ｅｌｅｍｅｎｔモチーフを有する、請求項１又は２に記載のトランスジェニック鳥類。
【請求項４】
ＥＲ  ｓｔｒｅｓｓ  ｒｅｓｐｏｎｓｅ  ｅｌｅｍｅｎｔモチーフを有する小胞体シャペロンプロモータが、ｇｌｕｃｏｓｅ−ｒｅｇｕｌａｔｅｄ   ｐｒｏｔｅｉｎ７８プロモータ、又はタンパク質ジスルフィドイソメラーゼプロモータである、請求項３に記載のトランスジェニック鳥類。
【請求項５】
宿主が家禽である請求項１〜４のいずれかに記載のトランスジェニック鳥類。
【請求項６】
家禽がニワトリである請求項５に記載のトランスジェニック鳥類。
【請求項７】
外来有用タンパク質がネコ由来タンパク質である請求項１〜６のいずれかに記載のトランスジェニック鳥類。
【請求項８】
請求項１〜７のいずれかに記載のトランスジェニック鳥類から外来有用タンパク質を回収する工程を含む、外来有用タンパク質の製造方法。
【請求項９】
輸卵管を構成する細胞の染色体上に、
（ａ）鳥類の小胞体シャペロンプロモータ、及び
（ｂ）外来有用タンパク質をコードする核酸塩基配列
が機能的に連結した核酸塩基配列を導入する工程を含む、トランスジェニック鳥類の作製方法。
【請求項１０】
更に、性成熟前に、血中の外来有用タンパク質の発現量を指標として、トランスジェニック鳥類の選別を行う工程を含む、請求項９に記載のトランスジェニック鳥類の作製方法。
【請求項１１】
宿主が家禽である請求項９又は１０に記載のトランスジェニック鳥類の作製方法。
【請求項１２】
家禽がニワトリである請求項１１に記載のトランスジェニック鳥類の作製方法。
【発明の詳細な説明】
【技術分野】
【０００１】
本発明は、トランスジェニック鳥類、外来有用タンパク質の製造方法、及びトランスジェニック鳥類の作製方法の技術分野に属する。
【背景技術】
【０００２】
近年、トランスジェニック動物による医薬品タンパク質の生産研究が盛んに行われている。ヤギ、ヒツジでは乳中に外来有用タンパク質の蓄積による生産が試みられ、すでに実用段階である。しかし、ヤギ、ヒツジなどの哺乳動物は広い飼育スペースが必要であり、性成熟して生産ラインが確立するまでに長い期間がかかるという欠点がある。これに対しニワトリなどの鳥類では卵白中に外来有用タンパク質を蓄積することによる生産が試みられている。ニワトリは広い飼育スペースを必要とせず、産卵まで６ヶ月と短く、長年の食経験から安全性が確認されている点が有用である。卵白中への外来有用タンパク質の蓄積には、オボアルブミンプロモータ（特許文献１）やオボムコイドプロモータ（特許文献２）など、卵白に局在するタンパク質の部位特異的プロモータが用いられることが多い。このほかにも全身で発現させるアクチンプロモータを使用している場合もある（特許文献３）。【０００３】
元来、卵白中に蓄積されるタンパク質のプロモータは輸卵管特異的な遺伝子発現を誘導し、卵白中に外来有用タンパク質を蓄積させるためには非常に有効なプロモータである。しかし、遺伝子組換え技術により外来有用タンパク質を卵白中に発現させる場合、輸卵管特異的発現であるがゆえに、ニワトリが産卵するまで、外来有用タンパク質の発現量を確認することは不可能である。なお、輸卵管以外の血液などでは、外来有用タンパク質の発現量を確認できない（非特許文献１、Ｆｉｇ３）。これは、性成熟するまでニワトリの動物工場としての生産能力が把握できず、遺伝子導入したニワトリ全てを性成熟するまで飼育する必要があることを意味する。したがって、生産性の低いニワトリを性成熟するまで飼育するという手間とコストがかかり大きな問題となる。【０００４】
一方、アクチンプロモータを用いた場合は、ニワトリの全身の細胞で発現するため、血中濃度を測定することである程度の生産量が予想できる。このため、性成熟する前に高発現個体を選抜することが可能である。しかし、全身発現の場合は、外来有用タンパク質やその生理機能により、ニワトリに大きな負荷がかかることが問題となる。ニワトリに対する大きな負荷として、孵化率の低下、孵化した個体の生存率の低下、生殖能力の低下、産卵能力の低下などの健康影響が知られている。ニワトリに健康影響がある場合、生産コストに大きな影響を与えると予想される。
【先行技術文献】
【特許文献】
【０００５】
【特許文献１】特開２００４−２３６６２６号公報
【特許文献２】特表２００５−５３６９８４号公報
【特許文献３】特開２００７−８９５７８号公報
【非特許文献】
【０００６】
【非特許文献１】Proc. Natl. Acad. Sci. USA; 104 20071771-1776
【発明の概要】
【発明が解決しようとする課題】
【０００７】
トランスジェニック鳥類でのタンパク質生産において輸卵管特異的発現では性成熟する前に卵白中の発現量の予測は不可能であり、発現量の低い個体も性成熟まで飼育する必要がある。また、アクチンプロモータでは全身での外来有用タンパク質の発現が高いことからニワトリに大きな負担がかかり、治療する必要が生じ、死亡することもある。これらの事情によりコストがかかることは生産にとって大きな問題である。上記の問題点等に鑑みて、本発明の目的は、トランスジェニック鳥類において、卵白中の外来有用タンパク質の生産量を、オボアルブミンプロモータやアクチンプロモータを用いた場合と同等以上の発現量とし、かつ性成熟する前に発現量を予測できる程度の発現量を達成しながら、輸卵管以外での発現量を低く抑えて鳥類への大きな負荷を低減することである。
【課題を解決するための手段】
【０００８】
本発明者らは、小胞体シャペロンタンパク質のプロモータが、鳥類の卵白中に外来有用タンパク質を発現させることができ、更に、オボアルブミンまたはアクチンプロモータと同等量以上の外来有用タンパク質の卵白中の発現が可能で、しかも、鳥類が性成熟する前に卵白中の発現量が予測できる程度に輸卵管以外の発現量が低く抑えられ、かつ鳥類への大きな負荷を低減できることを見出し、本発明を完成するに至った。【０００９】
即ち、本発明は、輸卵管を構成する細胞の染色体上に、（ａ）鳥類の小胞体シャペロンプロモータ、及び（ｂ）外来有用タンパク質をコードする核酸塩基配列が機能的に連結した核酸塩基配列を含むトランスジェニック鳥類に関する。小胞体シャペロンプロモータはニワトリ由来であることが好ましく、ＥＲ  ｓｔｒｅｓｓ  ｒｅｓｐｏｎｓｅ  ｅｌｅｍｅｎｔモチーフを有することがより好ましく、ｇｌｕｃｏｓｅ−ｒｅｇｕｌａｔｅｄ  ｐｒｏｔｅｉｎ７８プロモータ、又はタンパク質ジスルフィドイソメラーゼプロモータであることが更に好ましい。宿主は家禽であることが好ましく、ニワトリであることがより好ましい。外来有用タンパク質はネコ由来タンパク質であることが好ましい。【００１０】
本発明は、また、前記のトランスジェニック鳥類から外来有用タンパク質を回収する工程を含む、外来有用タンパク質の製造方法に関する。【００１１】
本発明は、また、輸卵管を構成する細胞の染色体上に、（ａ）鳥類の小胞体シャペロンプロモータ、及び（ｂ）外来有用タンパク質をコードする核酸塩基配列が機能的に連結した核酸塩基配列を導入する工程を含む、トランスジェニック鳥類の作製方法に関する。前記作製方法において、更に、性成熟前に、血中の外来有用タンパク質の発現量を指標として、トランスジェニック鳥類の選別を行う工程を含むことが好ましい。宿主は家禽であることが好ましく、ニワトリであることがより好ましい。
【発明の効果】
【００１２】
本発明のトランスジェニック鳥類は、有用タンパク質をコードする外来遺伝子の発現のために小胞体シャペロンプロモータを使用することにより、産卵する前に発現量が予想でき、全身発現量が低く抑えられ、オボアルブミンプロモータ、アクチンプロモータを使用した場合と同程度の、外来有用タンパク質の卵白中への蓄積量を達成できる。
【発明を実施するための形態】
【００１３】
本発明のトランスジェニック鳥類は、輸卵管を構成する細胞の染色体上に、（ａ）鳥類の小胞体シャペロンプロモータ、及び（ｂ）外来有用タンパク質をコードする核酸塩基配列が機能的に連結した核酸塩基配列を含む。
【００１４】
トランスジェニック鳥類の宿主とする鳥類は限定されないが、家畜として利用可能な家禽鳥類であることが好ましい。家禽鳥類としては、ニワトリ、ウズラ、七面鳥、カモ、ダチョウ、アヒル等をあげることができる。ニワトリやウズラは入手が容易で、産卵種としても多産であり、卵も大きく、安全に大量飼育を行う方法が確立している点で特に好ましい。なかでも、ニワトリであることが最も好ましい。
【００１５】
トランスジェニック鳥類として、Ｇ０トランスジェニックキメラ鳥類、Ｇ１トランスジェニック鳥類、及びＧ２以降世代のトランスジェニック鳥類が挙げられる。
【００１６】
小胞体シャペロンプロモータとは小胞体シャペロンタンパク質を発現させる機能を持つプロモータ配列であれば特に限定されないが、好ましくは鳥類の小胞体シャペロンプロモータであり、より好ましくは宿主由来の小胞体シャペロンプロモータであり、最も好ましくはニワトリ由来の小胞体シャペロンプロモータである。
【００１７】
小胞体は真核生物の細胞にあるオルガネラの一つであり、分泌タンパク質及び膜タンパク質のほとんどはここで合成される。また、合成されたタンパク質のフォールディングの場としても重要である。小胞体内にはこれら分泌タンパク質や膜タンパク質のフォールディングに関与するシャペロンが存在する。小胞体シャペロンタンパク質の例としてはＧｌｕｃｏｓｅ−Ｒｅｇｕｌａｔｅｄ Ｐｒｏｔｅｉｎ ７８（ＧＲＰ７８／ＢｉＰ）、タンパク質ジスルフィドイソメラーゼ（ＰＤＩ）などが挙げられる。
【００１８】
ＧＲＰ７８は小胞体におけるタンパク質輸送や小胞体品質管理機構において中心的な役割を担っている。その機能の一部として新生タンパク質に結合し凝集を抑制してフォールディングを促進するというシャペロンの役割も持つ。
【００１９】
ＰＤＩは小胞体に存在する酸化還元酵素である。タンパク質のジスルフィド結合の形成と掛け替えを行うことによってタンパク質のフォールディングを触媒する。また、非天然型のジスルフィド結合を形成した変性タンパク質だけでなく、ジスルフィド結合を持たないタンパク質の高次構造形成というシャペロンとしての役割も有する。ＰＤＩはラットにおける研究で肝臓、甲状腺、胃などの臓器で高発現しており、筋肉や心臓ではほとんど発現していないという報告がある（Ｊ．Ｈｉｓｔｏｃｈｅｍｉｓｔｒｙ  ａｎｄ Ｃｙｔｏｃｈｅｍｉｓｔｒｙ  １９９６  ４４  ７５１）。しかし、小胞体シャペロンタンパク質が、卵白タンパク質を生産する鳥類輸卵管細胞において発現するという示唆や記載はなかった。以上のように小胞体シャペロンは細胞内で重要な役割を担っている。
【００２０】
ＧＲＰ７８、及びＰＤＩの小胞体シャペロンのプロモータは、ＥＲＳＥ（ＥＲ  ｓｔｒｅｓｓ  ｒｅｓｐｏｎｓｅ  ｅｌｅｍｅｎｔ）と呼ばれるモチーフを持つ。なお、ここでいうプロモータとは、遺伝子の転写の開始部位を決定し、またその頻度を直接的に調節するＤＮＡ上の領域のことである。また、プロモータにはプロモータからの転写を促進するエンハンサーも含む。ＥＲＳＥモチーフはＣＣＡＡＴとＣＣＡＣＧ配列の間に９個の任意の塩基配列を含み、ＣＣＡＡＴＮ９ＣＣＡＣＧと表される。この配列が１塩基異なるだけで転写活性が落ちることから、これらのプロモータにとって重要なモチーフであると考えられている（Ｊ．Ｂｉｏｌｏｇｉｃａｌ Ｃｈｅｍｉｓｔｒｙ  １９９８  ２７３  ３３７４１）。上記二つの小胞体シャペロンプロモータ以外にＥＲＳＥモチーフを持つことが知られている小胞体シャペロンプロモータとしては、カルレティキュリンなどが挙げられる。このようなＥＲＳＥモチーフを有する小胞体シャペロンプロモータであれば、ＧＲＰ７８やＰＤＩと同様な機能を有し得ることは、当業者に周知の事項である。
【００２１】
ＧＲＰ７８の小胞体シャペロンプロモータとしては、配列表における配列番号３の塩基配列からなるプライマー、及び配列表における配列番号４の塩基配列からなるプライマーを利用し、ホワイトレグホンのゲノムを鋳型としてＰＣＲにより増幅される塩基配列に含まれる配列が挙げられる。具体的には、例えば配列表における配列番号１の塩基配列が挙げられる。
【００２２】
ＰＤＩの小胞体シャペロンプロモータとしては、配列表における配列番号５の塩基配列からなるプライマー、及び配列表における配列番号６の塩基配列からなるプライマーを利用し、ホワイトレグホンのゲノムを鋳型としてＰＣＲにより増幅される塩基配列に含まれる配列が挙げられる。具体的には、例えば配列表における配列番号２の塩基配列が挙げられる。
【００２３】
また、鳥類の小胞体シャペロンプロモータは、配列表の配列番号１または２に記載のＤＮＡと相補的なＤＮＡとストリンジェントな条件下でハイブリダイズするＤＮＡであってもよい。
【００２４】
また、鳥類の小胞体シャペロンプロモータは、配列表の配列番号１または２に記載の塩基配列と８５％以上の配列同一性を有するＤＮＡであってもよい。
【００２５】
ここで、「配列表の配列番号１または２に記載のＤＮＡと相補的なＤＮＡとストリンジェントな条件下でハイブリダイズするＤＮＡ」とは、配列表の配列番号１または２に示した塩基配列と相補的な塩基配列からなるＤＮＡをプローブとして、ストリンジェントな条件下にコロニー・ハイブリダイゼーション法、プラーク・ハイブリダイゼーション法、あるいはサザンハイブリダイゼーション法等を用いることにより得られるＤＮＡを意味する。
【００２６】
ハイブリダイゼーションは、Ｍｏｌｅｃｕｌａｒ  Ｃｌｏｎｉｎｇ，Ａ  ｌａｂｏｒａｔｏｒｙ  ｍａｎｕａｌ，ｓｅｃｏｎｄ  ｅｄｉｔｉｏｎ（Ｃｏｌｄ  Ｓｐｒｉｎｇ  Ｈａｒｂｏｒ  Ｌａｂｏｒａｔｏｒｙ  Ｐｒｅｓｓ，１９８９）等に記載されている方法に準じて行うことができる。ここで、「ストリンジェントな条件でハイブリダイズするＤＮＡ」とは、例えば、コロニーあるいはプラーク由来のＤＮＡを固定化したフィルターを用いて、０．７〜１．０ＭのＮａＣｌ存在下、６５℃でハイブリダイゼーションを行った後、２倍濃度のＳＳＣ溶液（１倍濃度のＳＳＣ溶液の組成は、１５０ｍＭ塩化ナトリウム、１５ｍＭクエン酸ナトリウムよりなる）を用い、６５℃の条件下でフィルターを洗浄することにより取得できるＤＮＡが挙げられる。好ましくは６５℃で０．５倍濃度のＳＳＣ溶液で洗浄、より好ましくは６５℃で０．２倍濃度のＳＳＣ溶液で洗浄、更に好ましくは６５℃で０．１倍濃度のＳＳＣ溶液で洗浄することにより取得できるＤＮＡである。
【００２７】
以上のようにハイブリダイゼーション条件を記載したが、これらの条件に特に制限されない。ハイブリダイゼーションのストリンジェンシーに影響する要素としては温度や塩濃度など複数の要素が考えられ、当業者であればこれら要素を適宜選択することで最適なストリンジェンシーを実現することが可能である。
【００２８】
上記の条件にてハイブリダイズ可能なＤＮＡとしては、配列番号１または２に示されるＤＮＡと、配列同一性が７０％以上、好ましくは８５％以上、より好ましくは９０％以上、更により好ましくは９５％以上、最も好ましくは９８％以上のＤＮＡを挙げることができる。
【００２９】
ここで、「配列同一性（％）」とは、対比される２つのＤＮＡを最適に整列させ、核酸塩基(例えば、Ａ、Ｔ、Ｃ、Ｇ、Ｕ、またはＩ)が両方の配列で一致した位置の数を比較塩基総数で除し、そして、この結果に１００を乗じた数値で表される。
【００３０】
配列同一性は、例えば、以下の配列分析用ツールを用いて算出し得る：
ＧＣＧ  Ｗｉｓｃｏｎｓｉｎ  Ｐａｃｋａｇｅ（Ｐｒｏｇｒａｍ  Ｍａｎｕａｌ  ｆｏｒ  Ｔｈｅ  Ｗｉｓｃｏｎｓｉｎ  Ｐａｃｋａｇｅ，Ｖｅｒｓｉｏｎ８，１９９４年９月，Ｇｅｎｅｔｉｃｓ  Ｃｏｍｐｕｔｅｒ  Ｇｒｏｕｐ，５７５  Ｓｃｉｅｎｃｅ  Ｄｒｉｖｅ  Ｍｅｄｉｓｏｎ，Ｗｉｓｃｏｎｓｉｎ，ＵＳＡ  ５３７１１；
Ｒｉｃｅ，Ｐ．（１９９６）Ｐｒｏｇｒａｍ  Ｍａｎｕａｌ  ｆｏｒ  ＥＧＣＧ  Ｐａｃｋａｇｅ，Ｐｅｔｅｒ  Ｒｉｃｅ，Ｔｈｅ  Ｓａｎｇｅｒ  Ｃｅｎｔｒｅ，Ｈｉｎｘｔｏｎ  Ｈａｌｌ，Ｃａｍｂｒｉｄｇｅ，ＣＢ１０  １ＲＱ，Ｅｎｇｌａｎｄ）、及び、
ｔｈｅ  ＥｘＰＡＳｙ  Ｗｏｒｌｄ  Ｗｉｄｅ  Ｗｅｂ分子生物学用サーバー（Ｇｅｎｅｖａ  Ｕｎｉｖｅｒｓｉｔｙ  Ｈｏｓｐｉｔａｌ  ａｎｄ  Ｕｎｉｖｅｒｓｉｔｙ  ｏｆ  Ｇｅｎｅｖａ，Ｇｅｎｅｖａ，Ｓｗｉｔｚｅｒｌａｎｄ）。
【００３１】
外来有用タンパク質は特に限定されないが、分泌系タンパク質、タンパク産業上有用な抗体、生理活性タンパク質、酵素などを用いることができる。例えば、エリスロポエチン、Ｇ−ＣＳＦ、トロンボポエチン、インターフェロンなどの分泌系タンパク質、ヒトモノクローナル抗体、キメラ抗体、一本鎖化等の修飾を施した人工抗体が挙げられる。タンパク質の由来としては、家畜、家禽、ペット、及び実験動物が挙げられる。家畜としては、ウシ、馬、豚、ヤギ、羊、イノシシ、イノブタ、トナカイ、鹿、ラクダ、ロバ、ラマ、ウサギ、ミンク、アルパカ、水牛、ヤクが挙げられる。家禽としては、ニワトリ、アヒル、ガチョウ、ダチョウ、ウズラ、七面鳥、ハト、キジが挙げられる。ペットとしては、イヌ、ネコ、ウサギ、モルモット、ラット、マウス、ハムスター、フェレット、インコ、オウム、キツネ、タヌキ、サル、九官鳥、ジュウシマツ、文鳥、ハトが挙げられる。実験動物としては、ラット、マウス、ウサギ、イヌ、ネコ、豚、モルモット、サル、マーモセット、スナネズミ、フェレット、ウシ、ヤギ、羊、ニワトリ、ウズラが挙げられる。具体的な外来有用タンパク質として、例えばネコ由来のエリスロポエチンが挙げられる。
【００３２】
外来有用タンパク質は、作製するトランスジェニック鳥類以外のタンパク質はもちろん、トランスジェニック鳥類作製に用いる個体が本来有するタンパク質であっても、その個体のゲノムに新たな塩基配列を導入することになるため、外来有用タンパク質に該当する。
【００３３】
外来有用タンパク質の発現を可能とするために、前記プロモータの下流に、外来有用タンパク質をコードする核酸塩基配列が機能的に連結されることが好ましい。機能的に連結とは、遺伝子の発現を調節するプロモータの種々の調節エレメントとタンパク質をコードする核酸塩基配列が、宿主細胞中で作動し得る状態で連結されることをいう。発現させる外来有用タンパク質のコード配列の境界は、５’末端の開始コドン、及び開始コドンに対応する３’末端の終始コドンにより決定される。５’末端の開始コドン近傍はコザックのコンセンサス配列を含むことが好ましい。
【００３４】
トランスジェニック鳥類が、Ｇ１トランスジェニック鳥類、及びＧ２以降世代のトランスジェニック鳥類である場合には、鳥類の小胞体シャペロンプロモータ及び外来有用タンパク質をコードする核酸塩基配列が機能的に連結した核酸塩基配列は、全身の細胞の染色体上に含まれる。
【００３５】
一方、トランスジェニック鳥類がＧ０トランスジェニックキメラ鳥類である場合には、前記核酸塩基配列は、輸卵管を構成する一部の細胞の染色体上に含まれ、かつ全身の一部の細胞の染色体上に含まれる。これにより、外来有用タンパク質が、トランスジェニック鳥類が産む卵の中に蓄積され、かつ血中において検出できる程度に発現され得る。
【００３６】
本発明は、また、輸卵管を構成する細胞の染色体上に、鳥類の小胞体シャペロンプロモータ、及び外来有用タンパク質をコードする核酸塩基配列が機能的に連結した核酸塩基配列を導入する工程を含む、トランスジェニック鳥類の作製方法に関する。
【００３７】
染色体上へ外来遺伝子を導入してトランスジェニック鳥類を作製するためには、レトロウイルスベクターを用いることが好ましい。レトロウイルスベクターは、プラスミド、ウイルス粒子、パッケージング細胞の異なる形態を含む。パッケージング細胞とはウイルス粒子の複製に必要なタンパク質の少なくとも一つをコードする遺伝子を導入した細胞である。
【００３８】
トランスジェニック鳥類の作製で使用するレトロウイルスベクターは安全性を考慮して、複製能を欠失していることが好ましい。複製能の欠失方法としては、ウイルス粒子の複製に必要な内部コアに含まれるタンパク質（ｇｒｏｕｐ  ｓｐｅｃｉｆｉｃ  Ａｎｔｉｇｅｎ、ｇａｇ）、逆転写酵素（ｐｏｌｙｍｅｒａｓｅ、ｐｏｌ）及びエンベロープ糖タンパク質（ｅｎｖｅｌｏｐｅ、ｅｎｖ）のうちいずれか又はその組み合わせが発現しないように、コード配列または発現に必要な配列の少なくとも一部または全部を欠失するか、それらが発現不能になるように置換、挿入変異を含むことが好ましい。レトロウイルスベクターはウイルス毎に挿入可能な遺伝子の長さに限定を受けるため、変異は欠失変異が好ましく、安全性や挿入断片の長さを増やす観点から、ｇａｇ、ｐｏｌ、ｅｎｖの複製を欠失させる変異であることが好ましい。レトロウイルスベクターはウイルス粒子にパッケージされる目印として機能するウイルスパッケージングシグナル（ｐｈｉ）を含んでいることが好ましい。ｇａｇ領域の一部はウイルスパッケージングシグナルとして機能することもあるため、ウイルス力価向上の観点から、ウイルスベクターは発現不能としたｇａｇ領域のすくなくとも一部を含んでいることが好ましい（Ｊ  Ｖｉｒｏｌ．１９８７  ６１（５）：１６３９）。
【００３９】
レトロウイルスとしては特に限定されないが、モロニーマウス白血病ウイルス、モロニーマウス肉腫ウイルス、トリ白血病ウイルス（ＡＬＶ）、ヒト免疫不全ウイルス（ＨＩＶ）由来のウイルス等が挙げられる。鳥類胚へ感染させるにはマウス幹細胞ウイルスやマウス胚性幹細胞ウイルス（ＭＳＣＶ）等、胚細胞や幹細胞への感染性の高いウイルスを用いることが好ましい。より好ましくは、ＭＳＣＶである。複製能欠失型レトロウイルスベクターは、これらのウイルスに由来する配列を含むものが好ましい。鳥類細胞にこのウイルスベクターを効率的に感染させるため、外皮タンパク質を人為的にウシ水疱性口内炎ウイルス由来のＶＳＶ−Ｇエンベロープタンパク質とすることが好ましいが、このウイルスタイプに限定されるものではない。
【００４０】
複製能欠失型レトロウイルスベクターは転写エンハンサー及び／又は調節エレメントを含んでいてもよい。転写エンハンサーはプロモータ遺伝子からの転写を促進する配列であり、単独では転写を起こせない遺伝子配列のことである。エンハンサーとしては特に限定されないが、シミアンウイルス４０（ＳＶ４０）、サイトメガロウイルス（ＣＭＶ）、チミジンキナーゼ、ステロイド応答エレメントやリゾチームのエンハンサーが挙げられる。調節エレメントは、転写調節や、転写後のＲＮＡの安定化に寄与する、単独では転写を起こせない遺伝子配列のことである。調節エレメントとしては特に限定されないが、ウッドチャック肝炎ウイルス由来調節エレメント（ｗｏｏｄｃｈｕｃｋ ｐｏｓｔ−ｔｒａｎｓｃｒｉｐｔｉｏｎａｌ  ｒｅｇｕｌａｔｏｒｙ  ｅｌｅｍｅｎｔ：ＷＰＲＥ、米国特許６１３６５９７）等が挙げられる。
【００４１】
レトロウイルスベクターは、５’末端、３’末端に長い反復配列（ｌｏｎｇ  ｔｅｒｍｉｎａｌ  ｒｅｐｅａｔ、ＬＴＲ）の少なくとも一部を含む。ＬＴＲは転写プロモータ遺伝子やｐｏｌｙＡ付加シグナルを持つことからプロモータやターミネーター遺伝子として利用し得る。レトロウイルスベクターにおいて、外来有用タンパク質のコード遺伝子、プロモータ、転写エンハンサー及び／又は調節エレメントは、５’ＬＴＲと３’ＬＴＲの間に含まれ、プロモータの下流に外来有用タンパク質の遺伝子が機能的に連結した核酸配列にすることが好ましい。機能的に連結とは、遺伝子の発現を調節するプロモータの種々の調節エレメントと遺伝子が、宿主細胞中で作動し得る状態で連結されることをいう。制御因子のタイプおよび種類が、宿主に応じて変わり得ることは、当業者に周知の事項である。
【００４２】
レトロウイルスベクターが転写され、ウイルス粒子が作製されるためには、５’ＬＴＲから３’ＬＴＲの間にターミネーターやｐｏｌｙＡ付加シグナルが含まれないことが好ましい。
【００４３】
レトロウイルスベクターにはマーカー遺伝子が含まれていてもよい。マーカー遺伝子は、正しく遺伝子導入された細胞の同定及び単離の目印となるタンパク質をコードする遺伝子である。マーカー遺伝子としては特に限定されないが、グリーン・フルオレッセント・プロテイン（ＧＦＰ）、シアン・フルオレッセント・プロテイン（ＣＦＰ）、ルシフェラーゼ等の蛍光タンパク質をコードする遺伝子、ネオマイシン耐性（ｎｅｏｒ）、ハイグロマイシン耐性（Ｈｙｇｒ）、ピューロマイシン耐性（Ｐｕｒｏｒ）等の薬剤耐性遺伝子、チミジンキナーゼ、β−ガラクトシダーゼなどをコードする遺伝子が挙げられる。マーカー遺伝子は一般的なプロモータや発現に必要な要素を伴うことが好ましい。
【００４４】
複製能欠失型レトロウイルスベクターは複製に必要とされるｇａｇ、ｐｏｌおよびｅｎｖ遺伝子を欠失している。複製能欠失型レトロウイルスベクターは以下の方法で調製できる。すなわち、ｇａｇ、ｐｏｌ遺伝子を保有するパッケージング細胞に目的タンパク質を発現可能な複製能欠失型レトロウイルスプラスミドとＶＳＶ−Ｇ発現プラスミドを同時に導入し、培養上清をウイルス液とする。あるいは、望ましくは、上記ウイルス液を感染させたパッケージング細胞にＶＳＶ−Ｇ発現プラスミドを導入し、培養上清をウイルス液として取得できるが、ウイルス液の取得方法は、これらの方法に限定されるものではない。
【００４５】
上記ウイルス液において複製能欠失レトロウイルスベクターの力価（タイター）は、感染能力を保持していれば特に限定されないが、遠心濃縮後１×１０８〜１×１０１４ｃｆｕ／ｍｌが好ましく、１×１０９〜１×１０１４ｃｆｕ／ｍｌがより好ましい。
【００４６】
上記ウイルス液の力価はＮＩＨ３Ｔ３細胞（アメリカン・タイプ・カルチャー・コレクション  ＣＲＬ−１６５８）にウイルス液を添加したとき、感染した細胞の数によって定義する。具体的には、ウイルス液１μｌを２ｍｌ培地に希釈しこの希釈液を１０１から１０５倍に希釈した。これらの希釈液を、６ウェル培養プレートの各ウェルに存在する１．５×１０４個のＮＩＨ３Ｔ３細胞に加え、マーカー遺伝子であるネオマイシン耐性遺伝子を発現している細胞の割合をＧ４１８に対する耐性から調べることによりウイルス液の力価を測定する。
【００４７】
トランスジェニック鳥類は、プロモータと外来遺伝子を含む複製能欠失型レトロウイルスベクターを鳥類胚に感染させ、その胚を孵化させることを含む方法によって好適に得られる。胚とは多細胞生物の個体発生初期のものであり、卵殻または卵膜に包まれているが、母体内にあって独立して食物をとる以前のものである。孵化とは、卵殻または卵膜から出ること及び独立して食物をとるようになることである。
【００４８】
複製能欠失型レトロウイルスベクターを感染させる鳥類胚は、特に限定されないが、孵卵開始から２４時間以上経過していることが好ましい。より好ましくは孵卵開始から３２時間以後７２時間以前の胚である。更に好ましくは４８時間以後６４時間以前の胚である。ウイルスに感染させる場所、つまりウイルス液を導入する場所としては、特に限定されないが、胚に形成されている心臓内あるいは血管内が好ましい。遺伝子導入効率の高いＧ０トランスジェニックキメラ鳥類を作製する上で、心臓の拍動を観察することができる初期の段階に、遺伝子導入することが好ましい。このような段階として、心臓が拍動を開始してから６時間以内という段階が挙げられる。この段階が好ましいのは、血流に乗せて全身に遺伝子を運ぶという観点と、細胞数が少ないという観点による。
【００４９】
孵卵とは、産卵直後の受精卵、及び産卵直後に発生可能でない環境で保管された鳥類受精卵を、発生可能な環境に保つことである。例えばニワトリでは孵卵のために最適な温度は立体孵卵器で３７．２から３７．８℃（平面孵卵器等では卵の上端で３８．９〜３９．４℃）、最適な湿度は４０〜７０％程度の環境であるが、この環境に限定されない。また、孵卵の際には転卵を行う。転卵角度は３０°以上で１日２回以上行うのが好ましいが、その限りではない。
【００５０】
ウイルスの鳥類胚への感染は、心臓や血管という特定の場所にウイルス液を導入するために、マイクロインジェクションにより行われることが好ましい。マイクロインジェクションとは、顕微鏡下で先端を細くした微小ガラス管等を用い、特定の場所に直接ウイルス液を導入する方法である。
【００５１】
トランスジェニック鳥類は、性成熟前に、血中の外来有用タンパク質の発現量を指標として、選別されることが好ましい。
【００５２】
鳥類の胚へ、小胞体シャペロンプロモータで発現できる外来遺伝子を含む複製能欠失型レトロウイルスベクターを感染させ、その胚を孵化させることによりＧ０トランスジェニックキメラ鳥類が得られる。生殖細胞に外来遺伝子を保有するＧ０トランスジェニックキメラ鳥類を、野生型鳥類やＧ０トランスジェニックキメラ鳥類と交配させ、孵化したヒナを選別することによりＧ１トランスジェニック鳥類を得ることができる。
【００５３】
Ｇ０トランスジェニック鳥類において、全ての細胞に外来遺伝子が導入されている確率は低く、ほとんどの場合、外来遺伝子が導入された細胞と、外来遺伝子が導入されておらず野生型の細胞という、異なる遺伝子型の細胞が同一個体内に共存しているＧ０トランスジェニックキメラ鳥類である。なお、トランスジェニック鳥類がＧ０トランスジェニックキメラ鳥類である場合には、輸卵管を構成する細胞に外来遺伝子が導入されている。一方、Ｇ１トランスジェニック鳥類は全ての細胞に外来遺伝子を保有している。
【００５４】
体細胞や生殖細胞への外来遺伝子導入は、血液、体細胞、精子などからＤＮＡやＲＮＡを回収しＰＣＲ法等の操作を行うことで確認できる。また、目的タンパク質の発現量は、血漿や臓器の破砕物をＥＬＩＳＡ法、電気泳動法、ウエスタンブロット法、目的タンパク質の活性測定等によって調べることができる。
【００５５】
Ｇ２以降の世代のトランスジェニック鳥類は、Ｇ１トランスジェニック鳥類を、野生型鳥類、Ｇ０トランスジェニックキメラ鳥類、又はＧ１トランスジェニック鳥類と交配させることにより作製できる。交配型は、Ｇ１トランスジェニック雄に対し前記雌を交配させることが、効率の点から好ましい。
【００５６】
本発明は、また、トランスジェニック鳥類から外来有用タンパク質を回収する工程を含む、外来有用タンパク質の製造方法に関する。外来有用タンパク質は、トランスジェニック鳥類から回収することにより得られるが、より詳細には、作製されたトランスジェニック鳥類の血液、体細胞、又は卵から、目的タンパク質を抽出、精製、活性化のすることのいずれか又はその組み合わせを行うことにより回収することにより得られる。抽出や精製に用いる方法としては特に限定されず、例えば、分別沈殿、遠心分離、二相分離、限外濾過、膜分離、クロマトグラフィー、免疫化学的方法、結晶化などの方法のいずれか及び／又はその組み合わせを含む方法が挙げられる。
【００５７】
外来タンパク質の血中発現量／卵白中発現量の比は、生産性の観点から、１／１０００以上であることが好ましく、１／５００以上であることがより好ましく、１／１２０以上であることが最も好ましい。また、外来タンパク質を発現している個体を、宿主に負担をかけることなく識別することができるという理由で、１／６以下であることが好ましく、１／１５以下であることがより好ましく、１／３１以下であることが最も好ましい。
【００５８】
血中の外来タンパク質の発現量は、血中から外来タンパク質が検出できるという理由で７００ｐｇ／ｍｌ以上であることが好ましく、０．３μｇ／ｍｌ以上であることが最も好ましい。また、宿主への負担を低減させるという理由で、１０μｇ／ｍｌ以下であることが好ましく、７μｇ／ｍｌ以下であることがより好ましく、３．７μｇ／ｍｌ以下であることが最も好ましい。
【００５９】
卵白中の外来タンパク質の発現量の条件は特に制限されないが、通常１ｍｇ／ｍｌ以下である。
【００６０】
後述する実施例に示すように、本発明者らは小胞体シャペロンタンパク質プロモータにより、ネコ由来エリスロポエチンを発現するトランスジェニックニワトリの作製に成功した。このトランスジェニックニワトリを詳細に調べた結果、孵化後１ヶ月以内に採取した血液からネコ由来エリスロポエチンの濃度が１．５μｇ／ｍｌでありアクチンプロモータで発現するトランスジェニックニワトリ（特開２００７−８９５７８号公報）での血中発現量の１／１０以下に低く抑えられていることを確認した。また、卵白中の生産量は１９３μｇ／ｍｌであり、オボアルブミンプロモータ（Ｐｒｏｃ．Ｎａｔｌ．Ａｃａｄ．Ｓｃｉ．ＵＳＡ; １０４  ２００７  １７７１−１７７６)やアクチンプロモータ（特開２００７−８９５７８号公報）で報告されている発現量と同程度であることを確認した。また、血中の発現量と卵白での発現量にはある程度の相関があることも確認した。このことにより、血中の発現量を測定することで、性成熟前に卵白中の発現量が予測できる。本明細書における性成熟とは、動物が生殖可能な状態になることを示す。ニワトリの場合、孵化後６ヶ月程度で性成熟に達し産卵し始める。
【００６１】
以下、実施例により本発明を詳述するが、本発明はこれらの実施例により限定されるものではない。遺伝子操作について特に記述の無いものに関しては代表的な方法に従った（Ｊ．Ｓａｍｂｒｏｏｋ、 Ｅ．Ｆ．Ｅｒｉｔｓｃｈ，Ｔ．Ｍａｎｉａｔｉｓ；Ｍｏｌｅｃｕｌａｒ  Ｃｌｏｎｉｎｇ，Ａ  Ｌａｂｏｒａｔｏｒｙ  Ｍａｎｕａｌ  ２ｎｄ  Ｅｄ，Ｃｏｌｄ  Ｓｐｒｉｎｇ  Ｈａｒｂｏｒ  Ｌａｂｏｒａｔｏｒｙ）。細胞培養について特に記述のないものに関しては代表的な方法に従った（小山秀機編集「細胞培養ラボマニュアル」シュプリンガー・フェアラーク東京  第１版）。商品名を記載している場合は特に記載のない限り添付の説明書の指示に従った。アクチンプロモータでのネコＥＰＯ発現トランスジェニックニワトリの作製方法は特開２００７−８９５７８号公報記載の方法で作製した。
【００６２】
（実施例１）
（工程１）ＧＲＰ７８プロモータで発現するネコエリスロポエチン遺伝子発現ベクターコンストラクトの作製
ホワイトレグホンの翼下静脈より血液を採取し、ＭａｇＥｘｔｒａｃｔｏｒ  Ｇｅｎｏｍｅ（東洋紡績（株）製）を用いてゲノムを調製した。ＧＲＰ７８プロモータ領域をＰＣＲで増幅させるため、ＧＲＰ７８プロモータの増幅用合成プライマー（配列表の配列番号３に示すｄｎａＫ３ＫＤ：５’−ＡＴＴＧＡＡＴＴＣＡＣＡＣＧＧＡＡＣＣＣＧＴＡＡＡＣＣＣＧ−３’、及び配列表の配列番号４に示すｄｎａＫ３ＫＲ：５’−ＡＴＴＧＧＡＴＣＣＴＣＧＣＣＧＣＴＣＴＧＣＣＡＡＡＡＧＡ−３’）を用い、調製したゲノムをテンプレートとしてＰＣＲ酵素であるＫＯＤ  ＦＸ（東洋紡績（株）製）を用いてＰＣＲを行った。増幅した約３．４ｋｂのフラグメントをＥｃｏＲＩ（タカラバイオ（株）製）とＢａｍＨＩ（タカラバイオ（株）製）で切断した。プロモータを挿入するベクターコンストラクトは以前作製したｐＭＳＣＶｎｅｏｂａｃｔｆＥＰＯｗｐｒｅ（特開２００７−８９５７８号公報）のアクチンプロモータ部をＥｃｏＲＩとＢａｍＨＩで切断することで取り除きこのサイトにＰＣＲで増幅し、制限酵素で切断したフラグメントをつないで、ｐＭＳＣＶｎｅｏＧＲＰｆＥＰＯｗｐｒｅを作製した。ＰＣＲでクローニングしたＤＮＡ配列の決定も行った。決定したＤＮＡ配列を配列表の配列番号１に示す。
【００６３】
（工程２）ＰＤＩプロモータで発現するネコエリスロポエチン遺伝子発現ベクターコンストラクトの作製
ＰＤＩプロモータ領域をＰＣＲで増幅させるため、ＰＤＩプロモータの増幅用合成プライマー（配列表の配列番号５に示すＰＤＩ３−５ＫＤ：５’−ＡＡＴＧＡＡＴＴＣＣＣＡＧＧＣＣＡＧＡＣＣＣＣＡＴＡＡＣ−３’、及び配列表の配列番号６に示すＰＤＩ３−５ＫＲ：５’−ＡＡＴＡＴＣＧＡＴＧＡＧＡＧＣＴＧＣＧＣＴＣＣＣＴＣＴＴＣＧ−３’）を用い、上記の方法で調製したホワイトレグホンのゲノムをテンプレートにしてＫＯＤ  ＦＸ（東洋紡績（株）製）を用いてＰＣＲを行った。増幅した約３．５ｋｂのフラグメントをＥｃｏＲＩ（タカラバイオ（株）製）とＣｌａＩ（タカラバイオ（株）製）で切断し、ｐＢｌｕｅｓｃｒｉｐｔＫＳ−（ストラタジーン社製）のＥｃｏＲＩ，ＣｌａＩサイトに挿入しｐＢｌｕＰＤＩを作製した。作製したｐＢｌｕＰＤＩをＥｃｏＲＩとＳａｌＩ（タカラバイオ（株）製）で切断し、約３．５ｋｂのフラグメントを精製した。ＰＤＩプロモータを挿入するベクターコンストラクトはｐＭＳＣＶｎｅｏｂａｃｔｆＥＰＯｗｐｒｅを用いた。このベクターコンストラクトのアクチンプロモータ部をＥｃｏＲＩとＸｈｏＩで切断することで取り除きこのサイトにＥｃｏＲＩとＳａｌＩで切断した３．５ｋｂのフラグメントを挿入して、ｐＭＳＣＶｎｅｏＰＤＩｆＥＰＯｗｐｒｅを作製した。ＰＣＲでクローニングしたＤＮＡ配列の決定も行った。決定したＤＮＡ配列を配列表の配列番号２に示す。
【００６４】
（工程３）ｐＭＳＣＶｎｅｏＧＲＰｆＥＰＯｗｐｒｅ及びｐＭＳＣＶｎｅｏＰＤＩｆＥＰＯｗｐｒｅとｐＶＳＶ−Ｇを用いたレトロウイルスベクターの調製
以後特に記述のない限り培地は１０％ウシ胎児血清（Ｆｅｔａｌ  Ｂｏｖｉｎｅ  Ｓｅｒｕｍ，ＦＢＳ）と５０ｕｎｉｔ／ｍｌのペニシリンストレプトマイシンを含むダルベッコ変法イーグル培地（Ｄｕｌｂｅｃｃｏ’ｓ  Ｍｏｄｉｆｉｅｄ  Ｅａｇｌｅ  Ｍｅｄｉｕｍ、ＤＭＥＭ）を用いた（ギブコ社製）。培養は３７℃、ＣＯ２  ５％で行った。レトロウイルスベクターに用いるベクターコンストラクトの精製はＥｎｄｏ  Ｆｒｅｅ  Ｐｌａｓｍｉｄ  Ｍａｘｉ  Ｋｉｔ（キアゲン社製）を用いた。
【００６５】
ｐＭＳＣＶｎｅｏＧＲＰｆＥＰＯｗｐｒｅのレトロウイルスベクターの調製は、次の手順で行った。工程１で構築したベクターコンストラクト（ｐＭＳＣＶｎｅｏＧＲＰｆＥＰＯｗｐｒｅ）よりレトロウイルスベクターを調製するため、ｇａｇ、ｐｏｌ遺伝子を持つパッケージング細胞ＧＰ２９３を、コラーゲンコートされた直径１００ｍｍの培養ディッシュに細胞数５×１０６個／ディッシュ（７０％コンフレント）となるように播種した。次の日、培地を取り除き、７．２ｍｌの培地に培地交換した。５６μｌのＬｉｐｏｆｅｃｔａｍｉｎ．２０００（インビトロジェン社製）を１．４ｍｌのＯｐｔｉ−ＭＥＭＩ培地（ギブコ社製）に懸濁し、室温で５分間おいた。１２μｇのｐＭＳＣＶｎｅｏＧＲＰｆＥＰＯｗｐｒｅと１２μｇのｐＶＳＶ−Ｇを１．４ｍｌのＯｐｔｉ−ＭＥＭＩ培地に懸濁した。Ｌｉｐｏｆｅｃｔａｍｉｎ．２０００とＤＮＡ溶液を混合し、室温で２０分おいた。これを、培地交換したディッシュに全量加え、６時間培養した。培養後培地を取り除き８ｍｌの培地を加え更に２４時間培養した。
【００６６】
培養上清を０．４５μｍのセルロースアセテートフィルター（（株）アドバンテック製）に通し、遠心管に集めた。超遠心機ＣＳ１００ＧＸＬ（日立工機（株）製）を用い、２８，０００ｒｐｍ（５，０００ｇ）で１．５時間遠心分離した。上清を取り除き、沈殿に２０μｌのＴＮＥ緩衝液（５０ｍＭ  Ｔｒｉｓ−ＨＣｌ（ｐＨ７．８）、１３０ｍＭ  ＮａＣｌ、１ｍＭ  ＥＤＴＡ）を加え、よく懸濁して小型高速遠心分離機で１２，０００ｒｐｍで１分間遠心分離し、上清を０．４５μｍデュラポアウルトラフリーフィルター（（株）アドバンテック製）に通しウイルス液とした。
ｐＭＳＣＶｎｅｏＰＤＩｆＥＰＯｗｐｒｅのレトロウイルスベクターの調製は上記の方法に準じて行った。
【００６７】
（工程４）ウイルス力価の測定
ウイルス液の力価は、ＮＩＨ３Ｔ３細胞（アメリカン・タイプ・カルチャー・コレクション  ＣＲＬ−１６５８）にウイルス液を添加したときに感染した細胞の数を測定することによって定義した。ウイルス液１μｌを２ｍｌ培地に希釈しこの希釈液を１０１から１０５倍に希釈した。これらの希釈液を、６ウェル培養プレートの各ウェルに存在する１．５×１０４個のＮＩＨ３Ｔ３細胞に加え、マーカー遺伝子であるネオマイシン耐性遺伝子を発現している細胞の割合をＧ４１８に対する耐性から調べることによりウイルス液の力価を測定した。１０５希釈で１コロニー現れた場合、ウイルス力価は１×１０５ｃｆｕ／２ｍｌ×２０００＝１×１０８ｃｆｕ／ｍｌとなる。
【００６８】
具体的には、力価測定開始の前日に、６ウェル培養プレートにＮＩＨ３Ｔ３細胞を１．５×１０４個／ウェルとなるよう播種し培養した。翌日、調製したウイルス液１μｌを２ｍｌのポリブレン（最終濃度８μｇ／ｍｌ）入り培地に懸濁した。このウイルス希釈液をポリブレン入り培地で１０１から１０５倍希釈し、細胞を培養している培地をウイルス希釈培地に交換して、ＮＩＨ３Ｔ３細胞にウイルスを感染させた。感染させた翌日に１ｍｇ／ｍｌのＧ４１８（シグマ社製）を含む培地に培地交換した。その後Ｇ４１８入り培地で１日おきに培地交換を１週間行った。１週間後プレートを０．５％クリスタルバイオレット（ナカライテスク（株）製）エタノール液で染色し、得られたコロニー数を測定し力価を求めた。
【００６９】
（工程５）安定パッケージング細胞の選択
ウイルス感染の前日に２４ウェル培養プレートにＧＰ２９３細胞を１×１０４個／ウェルとなるよう播種し、培養した。ウイルス感染当日８μｇ／ｍｌのポリブレンを含有する培地１ｍｌと培地交換した。これに、工程３で調製したウイルス液を感染させた。以後、細胞を限界希釈法によりクローン化した。具体的には、次の日、細胞をトリプシン処理し、１ｍｇ／ｍｌのＧ４１８入り培地で１３．３個／ｍｌとなるように細胞懸濁液を希釈し、９６ウェル培養プレートに１５０μｌずつ分注した。これを１〜２週間程度培養し、１ウェルに１コロニー生育し、増殖の速いものをパッケージング細胞のクローンとして選択した。
【００７０】
（工程６）安定パッケージング細胞でのｐＶＳＶ−Ｇを用いたレトロウイルスベクターの調製
直径１００ｍｍのコラーゲンコートされた培養ディッシュに工程５で得られた安定パッケージング細胞を６〜７×１０６個となるように播種した。次の日、培地を除き７．２ｍｌの培地を加えた。５６μｌのＬｉｐｏｆｅｃｔａｍｉｎｅ．２０００を１．４ｍｌのＯｐｔｉ−ＭＥＭＩ培地に懸濁し、室温で５分間おいた。２４μｇのｐＶＳＶ−Ｇを１．４ｍｌのＯｐｔｉ−ＭＥＭＩ培地に懸濁した。Ｌｉｐｏｆｅｃｔａｍｉｎｅ．２０００溶液とＤＮＡ溶液を混合し、室温で２０分間おいた。この後、培養ディッシュに全量加え６時間培養した。６時間培養後培地を除き８ｍｌの培地を加えた。その後４８時間培養した。培養上清を０．４５μｍのセルロースアセテートフィルターに通し、遠心管に集めた。超遠心機ＣＳ１００ＧＸＬを用い、２８，０００ｒｐｍ（５，０００ｇ）で１．５時間遠心分離した。上清を取り除き、沈殿に２０μｌのＴＮＥ緩衝液を加え、よく懸濁して小型高速遠心分離機１２，０００ｒｐｍで１分間遠心分離し、上清を０．４５μｍデュラポアウルトラフリーフィルターに通しウイルス液とした。このようにして１×１０８以上の力価を持つウイルス液が得られた。
【００７１】
（工程７）ニワトリ胚へのレトロウイルスベクターのマイクロインジェクションと人工孵化
マイクロインジェクションと人工孵化は無菌条件下で行った。ニワトリ受精卵（城山種鶏場）の外側を消毒液（（株）昭和フランキ製）または７０％エタノールで除菌した。孵卵器Ｐ−００８（Ｂ）型（（株）昭和フランキ製）を温度３８℃、湿度５０〜６０％の環境になるようにセットし、電源を入れた時刻を孵卵開始時刻とし、以後１５分毎に９０°転卵しながら孵卵を行った。
【００７２】
孵卵開始から約５５時間経過後孵卵器から卵を取り出し、鈍端部に１ｍｍ程度の穴を開けた。続いて卵の側面の中央よりやや上部に直径７〜１０ｍｍ程度の穴を開けた。実体顕微鏡システムＳＺＸ１２（オリンパス（株）製）下で、フェムトチップＩＩ（エッペンドルフ社製）に工程６で調製したウイルス液を注入し、フェムトジェット（エッペンドルフ社製）を用いてウイルス液約２μｌを７〜１０ｍｍ程度の穴からニワトリ胚の心臓に注入した。
【００７３】
ウイルス液を注入後スコッチテープＢＫ−１５（住友スリーエム（株）製）で穴をふさぎ、孵卵器に戻して孵卵を続けた。孵卵器の転卵を３０分毎に３０°転卵に変更した。孵卵開始から１週間後に孵卵器に６０ｃｃ／ｍｉｎで酸素を供給し孵卵を行った。孵卵開始から１９日目に転卵をとめ、自然に孵化するのを待った。
【００７４】
（比較例１）アクチンプロモータでネコＥＰＯを発現するトランスジェニックニワトリの作製
ｐＭＳＣＶｎｅｏｂａｃｔｆＥＰＯｗｐｒｅ（特開２００７−８９５７８号公報）を使用した以外は、上記実施例１の工程３〜７と同様の操作を行い、アクチンプロモータでネコＥＰＯを発現するトランスジェニックニワトリを作製した。
【００７５】
（測定例１）ネコ由来エリスロポエチン発現トランスジェニックニワトリの血中、卵白中の発現確認
上記実施例１の工程７により誕生したヒナを飼育して成長させた。飼料として幼雛ＳＸセーフティー及びネオセーフティー１７（豊橋飼料（株）製）を用いた。トランスジェニックニワトリからの採血は翼下静脈より行った。採血した血液はエッペンドルフチューブにいれ、室温で３０分以上放置した後、小型高速遠心分離機で４℃、３０００ｒｐｍで５分間遠心分離を行い、血清と血餅を分離し上清を血清とした。卵白は超音波により全体が均一となるように調製した。
【００７６】
ネコ由来エリスロポエチンの活性は、ＥＰＯ依存性細胞株であるＢａｆ／ＥＰＯＲによる細胞増殖アッセイ（特開平１０−９４３９３号公報）により行った。細胞増殖アッセイはエポジン（中外製薬（株）製）を標準エリスロポエチンとして、増殖の検量線を描きそれを元に未知サンプルのエリスロポエチン活性を測定した。Ｂａｆ／ＥＰＯＲ細胞用培地として５％のウシ胎児血清（ＦＢＳ）と５０ｕｎｉｔ／ｍｌのペニシリン、ストレプトマイシンを含むＲＰＭＩ１６４０リキッド培地（日水製薬（株）製）を用いた。通常のＢａｆ／ＥＰＯＲ細胞の培養の際には最終濃度１Ｕ／ｍｌとなるようにエポジンを加えた。細胞増殖アッセイには対数増殖期にある細胞を用いた。
【００７７】
Ｂａｆ／ＥＰＯＲ細胞での細胞増殖アッセイを行うため、まず、培地中のエポジンを除去した。培養した１０ｍｌのＢａｆ／ＥＰＯＲ細胞を１０００ｒｐｍで５分間遠心分離した。上清を取り除き、沈殿にエポジンを含まない培地１０ｍｌを加え懸濁した。同様の操作を３度行い培地中のエポジンを除去した。細胞数を測定し、エポジンを含まない培地で５５５５５個／ｍｌの濃度になるように希釈した。９６ウェルマイクロプレートの各ウェルに９０μｌずつ播種した。これに、培地で２５，１６，１０，６．４，４．０，２．５，１．６，１．０Ｕ／ｍｌとなるよう希釈したエポジンを１０μｌずつ加え、一様になるように懸濁した（エポジンの最終濃度はそれぞれ、２．５，１．６，１．０，０．６４，０．４，０．２５，０．１６，０．１Ｕ／ｍｌとなる）。アッセイに用いるサンプルは培地で１０倍ずつ段階希釈し、検量線の測定範囲内に入るようにし、播種した細胞中に１０μｌずつ加え、一様になるように懸濁した。標準サンプル、未知サンプル共に同じものを３点測定した。２日間培養し、Ｃｅｌｌ  Ｃｏｕｎｔｉｎｇ  Ｋｉｔ−８（（株）同仁化学研究所製）溶液を各ウェルに１０μｌずつ添加した。１〜４時間呈色反応を行った後、０．１ｍｏｌ／ｌの塩酸を１０μｌ加え反応を停止し、マイクロプレートリーダーを用い、４５０ｎｍの吸光度を測定した。標準サンプルの測定結果を対数近似し、近似式を求めた。求めた近似式より未知サンプルの活性を換算し算出した。ネコＥＰＯタンパク重量は１３００００ＩＵを１ｍｇとして換算した。
【００７８】
実施例の小胞体シャペロンプロモータでネコＥＰＯを発現するトランスジェニックニワトリの、血中及び卵白中のネコＥＰＯ濃度を測定した。その結果を表１に示す。
【００７９】
【表１】
0005981921.tif 000002
【００８０】
比較例のトランスジェニックニワトリを用いた以外は同様の操作を行い、アクチンプロモータでネコＥＰＯを発現するトランスジェニックニワトリの、血中及び卵白中のネコＥＰＯ濃度を測定した。その結果を表２に示す。
【００８１】
【表２】
0005981921.tif 000003
【００８２】
表１、２に示した通り、小胞体シャペロンプロモータによる血中のネコＥＰＯの発現量はアクチンプロモータによる血中発現量の約１／１０以下であった。また、小胞体シャペロンプロモータでネコＥＰＯを発現するトランスジェニックニワトリの卵白中の発現量はアクチンプロモータでネコＥＰＯを発現するトランスジェニックニワトリと同等以上の発現量であった。
【００８３】
（測定例２）作製したトランスジェニックニワトリの性成熟までの生存率の測定
上記実施例１の工程１から７、及び比較例１に記載の方法で孵化させた小胞体シャペロンプロモータによるネコＥＰＯ発現トランスジェニックニワトリ、およびアクチンプロモータによるネコＥＰＯ発現トランスジェニックニワトリを、孵化から６ヶ月まで飼育し、この期間中に死亡したトランスジェニックニワトリの数を測定し生存率を求めた。測定した性成熟までの生存率の結果を表３に示す。
【００８４】
【表３】
0005981921.tif 000004
【００８５】
表３に示した通り、性成熟までの生存率は小胞体シャペロンプロモータで１００％であったのに対し、アクチンプロモータでは８３％と低い値であり、ネコＥＰＯを全身で高発現すると生存率が低下することが分かった。
【産業上の利用可能性】
【００８６】
本発明により、トランスジェニック鳥類において、オボアルブミンまたはアクチンプロモータによる外来有用タンパク質発現トランスジェニック鳥類と同等量以上の、外来有用タンパク質の卵白中での発現が可能となり、しかも、鳥類が性成熟する前に卵白中の発現量が予測できる程度の発現量を達成しながら、輸卵管以外の発現量が低く抑えられ、鳥類への大きな負荷を低減させることができるようになった。これにより、従来技術と比較して産業上非常に有用なトランスジェニック鳥類を提供することができる。
【配列表】
0005981921000001.app